(57)【要約】【課題】排液処理後にチューブ内に残留する透析液について再び腹腔内に戻される容量を低減させる腹膜透析装置及びカセットを提供する。【解決手段】腹膜透析装置であって、患者の腹腔に腹膜透析液を注入するための注液チューブと、腹腔から腹膜透析液を排出するための排液チューブとを有し、注液チューブと排液チューブとが、腹腔の直前で合流しているカセットを装着する装着手段と、注液チューブ内の腹膜透析液を送液する注液ポンプと、排液チューブ内の腹膜透析液を送液する排液ポンプと、注液チューブ及び排液チューブの腹膜透析液の流路を設定するクランプ手段と、腹腔への腹膜透析液の注液処理を行う場合に注液ポンプ及びクランプ手段を制御して腹膜透析液を腹腔に注入するための注液流路を設定し、排液処理を行う場合に排液ポンプ及びクランプ手段を制御して腹膜透析液を腹腔から排出するための排液流路を設定する制御手段とを備えることを特徴とする。【選択図】図６
2008229249.tif 000002
【特許請求の範囲】
【請求項１】
腹膜透析装置であって、
患者の腹腔に腹膜透析液を注入するための注液チューブと、腹腔から腹膜透析液を排出するための排液チューブとを有し、前記注液チューブと前記排液チューブとが、前記腹腔の直前で合流しているカセットを装着する装着手段と、
前記注液チューブ内の腹膜透析液を送液する注液ポンプと、
前記排液チューブ内の腹膜透析液を送液する排液ポンプと、
前記注液チューブ及び前記排液チューブの腹膜透析液の流路を設定するクランプ手段と、
前記腹腔への腹膜透析液の注液処理を行う場合に前記注液ポンプ及び前記クランプ手段を制御して腹膜透析液を前記腹腔に注入するための注液流路を設定し、排液処理を行う場合に前記排液ポンプ及び前記クランプ手段を制御して腹膜透析液を前記腹腔から排出するための排液流路を設定する制御手段と
を備えることを特徴とする腹膜透析装置。
【請求項２】
前記制御手段は、
前記注液チューブに残留する腹膜透析液を排液する場合に、前記注液ポンプを前記排液ポンプと同時に駆動させ、かつ、前記クランプ手段を制御して該残留する腹膜透析液を排液するための流路を設定することを特徴とする請求項１に記載の腹膜透析装置。
【請求項３】
前記腹膜透析液中に含まれる気泡を検知する複数の気泡センサをさらに備え、
前記制御手段は、
前記注液処理中に気泡が検知された場合に、前記排液ポンプを前記注液ポンプと同時に駆動させ、かつ、前記クランプ手段を制御して該気泡を排出するための流路を設定することを特徴とする請求項１又は２に記載の腹膜透析装置。
【請求項４】
前記制御手段は、
前記検知された気泡が前記注液チューブと前記排液チューブとの合流地点に到達する到達時刻を導出する導出手段を備え、
前記導出された到達時刻から前後に予め定められた時間を有する期間において、前記排液ポンプを前記注液ポンプと同時に駆動させることを特徴とする請求項３に記載の腹膜透析装置。
【請求項５】
前記導出手段は、
前記気泡を検知した時刻と、前記気泡を検知した気泡センサの位置と、前記腹膜透析液の流速とから前記到達時刻を導出することを特徴とする請求項４に記載の腹膜透析装置。
【請求項６】
前記制御手段は、
前記注液ポンプ及び前記排液ポンプを同時に駆動させる場合に、該注液ポンプを駆動するための駆動モータにおける回転数及び回転速度と、該排液ポンプを駆動するための駆動モータにおける回転数及び回転速度とを同一にすることを特徴とする請求項２乃至５の何れか１項に記載の腹膜透析装置。
【請求項７】
前記注液チューブと前記排液チューブとの合流地点から前記腹腔までのチューブの内容量が２ｍＬ以下であることを特徴とする請求項１乃至６の何れか１項に記載の腹膜透析装置。
【請求項８】
腹膜透析装置に装着され、腹腔に腹膜透析液を注入する注液処理及び腹腔から該腹膜透析液を排出する排液処理を行うためのカセットであって、
患者の腹腔に腹膜透析液を注入するための注液チューブと、
腹腔から腹膜透析液を排出するための排液チューブとを備え、
前記注液チューブと前記排液チューブとが、前記腹腔の直前で合流していることを特徴とするカセット。
【発明の詳細な説明】
【技術分野】
【０００１】
本発明は、腹膜透析液の注液処理及び排液処理を行う腹膜透析装置及びカセットに関する。
【背景技術】
【０００２】
腹膜透析装置は、人体の腹腔に接続された１本の両方を行う。このチューブは、通常、約２〜３ｍの長さを有する。腹膜透析装置は、通常、１回目の注液を行う場合、注液処理を行う前に新しい透析液をチューブ内に満たす。これは、一般にプライミング動作と呼ばれる。そのため１回目の注液処理では、腹腔内に注入される透析液は全て未使用状態である。しかし、２回目以降の注液処理では、前回注液した透析液を排液した後であるため、チューブ内に排液された使用済みの透析液（以下、残留液と称す。）が残留している。このため、２回目以降の注液処理では、まず、チューブ内の残留液が再び腹腔に注入されることとなる。排液処理では、チューブ内の透析液を最後まで捨てきれない。この捨てきれない排液量は、一般にデッド・ボリュームと呼ばれる。
【０００３】
特許文献１は、ダイアフラム、加温部が一体的に形成された使い捨てカセットを用い、流路切替え動作が静かで、加温能力が高い、小型の腹膜透析装置を示している。
【特許文献１】特開２００３−０００７０４号公報
【発明の開示】
【発明が解決しようとする課題】
【０００４】
上述した従来技術では、排液処理から注液処理に切り替える場合にチューブ内の残留液が腹腔に戻ることを問題としていない。これは、成人に対して行われる腹膜透析の場合、注入する透析液の量と比較すると、チューブ内の残留液が無視できる程度の量であるためである。しかしながら、小児に対して行われる腹膜透析の場合、成人の腹膜透析に使用される透析液の量より少量の透析液で行われる。したがって、チューブ内の残留液が透析効率に影響を与えてしまう。
【０００５】
具体的に、腹膜透析装置は、通常、数十ｍＬ程度の容量をデッド・ボリュームとして持つ。この量は、成人の場合、１回の注液量が１５００ｍＬ〜２０００ｍＬ程度であるため、問題になることは少ない。しかし、小児では、１回の注液量が１００ｍＬ程度となる。この場合、注液量の１０％以上が残留液となるため、透析効率に影響を与えてしまう。
【０００６】
本発明は、上述の問題に鑑みて成されたものであり、排液処理後にチューブ内に残留する透析液について再び腹腔内に戻される容量を低減させる腹膜透析装置を提供することを目的とする。
【課題を解決するための手段】
【０００７】
上記課題を解決するための一の形態に対応する本発明は、腹膜透析装置であって、患者の腹腔に腹膜透析液を注入するための注液チューブと、腹腔から腹膜透析液を排出するための排液チューブとを有し、注液チューブと排液チューブとが、腹腔の直前で合流しているカセットを装着する装着手段と、注液チューブ内の腹膜透析液を送液する注液ポンプと、排液チューブ内の腹膜透析液を送液する排液ポンプと、注液チューブ及び排液チューブの腹膜透析液の流路を設定するクランプ手段と、腹腔への腹膜透析液の注液処理を行う場合に注液ポンプ及びクランプ手段を制御して腹膜透析液を腹腔に注入するための注液流路を設定し、排液処理を行う場合に排液ポンプ及びクランプ手段を制御して腹膜透析液を腹腔から排出するための排液流路を設定する制御手段とを備えることを特徴とする。
【発明の効果】
【０００８】
本発明は、排液処理後にチューブ内に残留する透析液について再び腹腔内に戻される容量を低減させる腹膜透析装置を提供できる。
【発明を実施するための最良の形態】
【０００９】
以下、本発明に係る実施形態について図面を用いて説明する。なお、以下の実施の形態は特許請求の範囲に記載された発明を限定するものでなく、また本実施形態で説明されている特徴の組み合わせの全てが本発明の解決手段に必須のものとは限らない。
【００１０】
本発明の腹膜透析装置は、腹腔とカセットとの間に接続されるチューブが注液処理用の流路と排液処理用の流路とを有することを特徴とする。これにより、本腹膜透析装置は、排液処理後にチューブ内に残留するデッド・ボリュームを低減させ、小児に対して行われる透析効率への影響を低減させる。また、本腹膜透析装置は、上述のチューブを有することで、チューブ内で室温まで冷えた透析液を腹腔に注入することを抑制する。さらに、本腹膜透析装置は、上述のチューブを有することで、腹膜透析装置内で検知された透析液中に含まれる気泡を容易に排出することができる。
【００１１】
［第１の実施形態］
以下では、図１乃至図９を参照して、具体的な実施形態について説明する。図１は、第１の実施形態に係る腹膜透析装置１００の一例を示す図である。ここでは、本発明に関する部分についてのみ説明を記載する。したがって、本発明の腹膜透析装置１００は、他の構成要素を含んで構成されてもよい。
【００１２】
腹膜透析装置１００には、腹膜透析液を腹腔に注入するためのカセット１０１が装着される。また、腹膜透析装置１００は、装着手段として機能する、カセット装着部１０６、操作部１０７ａ、１０７ｂ及び表示部１０８を含む。カセット１０１は、注液部１０２ａ、排液部１０２ｂ、加温チューブ１０３、切替部１０４及び接続チューブ１０５を含む。接続チューブ１０５についての詳細は、図２を用いて後述する。
【００１３】
カセット装着部１０６には、図１に示す矢印１１０のように、カセット１０１が装着される。操作部１０７ａ、１０７ｂは、例えば、ユーザ（患者）が腹膜透析を開始する際の開始指示や、腹膜透析を終了する際の終了指示を入力するために使用される。表示部１０８は、ユーザ（患者）に情報を報知するものであり、例えば、腹膜透析装置１００の動作状態を報知する。ここで、動作状態とは、例えば、腹腔に透析液を注入する注入処理や腹腔から透析液を排液する排液処理の実施中、終了などの状態を示す。
【００１４】
カセット１０１には、透析液を送液するためのチューブが張り巡らされており、患者の腹腔に腹膜透析液を注入するための注液チューブと、腹腔から腹膜透析液を排出するための排液チューブとを備える。この注液チューブは、カセット１０１及び患者の腹腔に接続される透析カテーテルの注液処理用の流路を含む。また、排液チューブは、当該透析カテーテルの排液処理用の流路を含む。さらに、注液チューブと排液チューブとは、透析カテーテルにおいて、腹腔の直前で合流するように形成される。
【００１５】
注液部１０２ａ及び排液部１０２ｂには、それぞれカセット１０１の内部に張り巡らされたチューブの一部が配設されている。また、注液部１０２ａ及び排液部１０２ｂは、配設されたチューブが露出するように開口部となっている。カセット１０１を腹膜透析装置１００に装着して注液処理を行う場合、注液部１０２ａには、腹膜透析装置１００の内部に備えられる注液ポンプが押し当てられる。また、排液処理を行う場合、排液部１０２ｂには、腹膜透析装置１００の内部に備えられる排液ポンプが押し当てられる。注液ポンプ及び排液ポンプの構成については、図３及び図４を用いて後述する。
【００１６】
加温チューブ１０３は、カセット１０１が腹膜透析装置１００に装着されると、当該腹膜透析装置１００に備えられるヒータに挟み込まれる。これにより、加温チューブ１０３内を流れる透析液は、腹膜透析装置１００のヒータによって加温される。腹膜透析装置１００は、上述したヒータと伝熱部材（例えば、アルミ部材）とを備える。また、ヒータは、加温チューブ１０３を挟み込むように上面ヒータ及び下面ヒータを有することで、効率的に透析液を加温することができる。加温チューブ１０３内には、例えば、最大で４０ｍｌ程度の透析液が収容される。
【００１７】
切替部１０４は、カセット１０１に張り巡らされたチューブを流れる透析液の流路を切り替えるために形成されている。このため、複数の切替部１０４が、カセット１０１に張り巡らされたチューブに沿って形成される。切替部１０４は、注液部１０２ａ及び排液部１０２ｂと同様に、配設されたチューブが露出するように開口部となっている。具体的に、切替部１０４には、カセット１０１を腹膜透析装置１００に装着すると、当該腹膜透析装置１００に備えられるクランプ手段として機能する複数のクランプが配置される。これらのクランプは、各切替部１０４の下を通過するカセット１０１内に張り巡らされたチューブを開口又は閉塞させることで、主に、注液処理用の流路又は排液処理用の流路に切り替える。注液処理用の流路とは、例えば、後述する透析液バッグに収容されている透析液を注入する場合、透析液バッグ、送液ライン、注液部１０２ａ、加温チューブ１０３、透析カテーテルにおける注液処理用の流路の順で通じる流路となる。一方、排液処理用の流路とは、上記透析カテーテルにおける排液処理用の流路、排液部１０２ｂ、排液ラインの順で通じる流路となる。
【００１８】
また、本発明によれば、カセット１０１に配置された複数の切替部１０４における切替パターンを変更することで様々な処理を行うことができる。例えば、注液処理の実行中において、透析液中に気泡が検知されると、間欠的に排液処理用の流路に切り替えることで気泡を排出することができる。
【００１９】
上述した加温チューブ１０３、カセット１０１に張り巡らされたチューブ及び透析カテーテルの構成材料としては、それぞれ、軟質の樹脂、例えば、ポリエチレン、ポリプロピレン、エチレン−プロピレン共重合体、エチレン−酢酸ビニル共重合体（ＥＶＡ）等のポリオレフィン、ポリ塩化ビニル、ポリ塩化ビニリデン、ポリスチレン、ポリアミド、ポリイミド、ポリ−（４−メチルペンテンー１）、アイオノマー、アクリル系樹脂、ポリエチレンテレフタレート（ＰＥＴ）、ポリブチレンテレフタレート（ＰＢＴ）等のポリエステル、スチレン系、ポリオレフィン系、ポリ塩化ビニル系、ポリウレタン系、ポリエステル系、ポリアミド系等の各種熱可塑性エラストマー、シリコーン樹脂、ポリウレタン等、またはこれらを主とする共重合体、ブレンド体、ポリマーアロイ等が挙げられ、これらのうちの１種または２種以上を組み合わせて（例えば２層以上の積層体として）用いることができる。
【００２０】
次に、図２を参照して、腹膜透析装置１００及びカセット１０１の詳細について説明する。図２は、第１の実施形態に係る腹膜透析装置１００に装着された状態のカセット１０１を示す図である。ここでは、本発明に関する主要な構成要素についてのみ説明を記載する。即ち、本発明の腹膜透析装置１００及びカセット１０１は、以下で説明する構成要素に限定されず、他の構成要素を含んでもよい。
【００２１】
腹膜透析装置１００は、図１で説明した構成要素に加えて、流量計２０２ａ、２０２ｂ、温度センサ２０３ａ、２０３ｂ及び気泡センサ２０４ａ、２０４ｂ、２０４ｃ、２０４ｄ、２０４ｅを含む。さらに、腹膜透析装置１００は、クランプ２０５ａ、２０５ｂ、２０５ｃ、２０５ｄ、２０５ｅ、２０５ｆ、２０５ｇを含む。また、カセット１０１には、それぞれ、透析カテーテル（腹膜ライン）２１０、注液ライン２０６ａ、２０６ｂ及び排液ライン２０７が接続される。また、注液ライン２０６ａ、２０６ｂには、それぞれ透析液バッグ２０８、２０９が接続されている。参照番号２１１は、排液ライン２０７に接続された排液ラインコネクタを示す。通常、排液ラインコネクタ２１１には、排液を回収するための排液回収バッグが接続される。参照番号２１２は、透析カテーテル２１０に接続された腹膜ラインコネクタを示す。腹膜ラインコネクタ２１２は、腹膜透析を行う際に腹膜に挿入されたチューブに接続される。
【００２２】
カセット１０１が腹膜透析装置１００に装着されると、流量計２０２（ａ、ｂ）は、それぞれ注液部１０２ａ、排液部１０２ｂの近傍に配置され、透析液の注液量、排液量を計測する。温度センサ２０３ａは、加温チューブ１０３へ送液される透析液の温度を測定する。温度センサ２０３ｂは、加温チューブ１０３で加温された透析液の温度を測定する。これらの測定された温度は、加温チューブ１０３の近傍に配置されるヒータを制御するために用いられる。また、温度センサ２０３ａ、２０３ｂには、応答速度が極めて速いサーモパイル型赤外線センサ（非接触型の温度センサ）が用いられることが望ましい。
【００２３】
各気泡センサ２０４（ａ〜ｅ）は、カセット１０１において透析液が送液されるライン（チューブ）に沿って配置され、透析液中に含まれる気泡を検知する。これにより、腹膜透析装置１００は、例えば、注液処理中に気泡を検知した場合、気泡が混入した透析液を排液するように制御する。気泡センサ２０４（ａ〜ｅ）には、例えば、超音波方式のセンサが用いられる。具体的に、注液処理中に気泡センサ２０４ａで気泡が検知された場合、腹膜透析装置１００は、排液処理に切り替えて、気泡センサ２０４ｂで気泡を検知すると再び注液処理を行う。気泡を排出する処理の詳細については、第３の実施形態で説明する。
【００２４】
各クランプ２０５（ａ〜ｇ）は、クランプ手段として機能し、透析液の流路を設定するために用いられる。各クランプ２０５（ａ〜ｇ）は、腹膜透析装置１００に含まれる注液ポンプ又は排液ポンプと協働して制御される。具体的に、各クランプ２０５（ａ〜ｇ）は、配置された位置のチューブを閉塞させるか、或いは、開口させることにより透析液の流路を設定する。例えば、透析液バッグ２０８から新たな透析液を注液する場合、腹膜透析装置１００は、注液ポンプを駆動するとともに、クランプ２０５ｅ、２０５ｃ、２０５ａではチューブを開口させ、その他のクランプではチューブを閉塞させる。一方、排液処理を行う場合、腹膜透析装置１００は、排液ポンプを駆動するとともに、クランプ２０５ｂ、２０５ｇではチューブを開口させ、その他のクランプではチューブを閉塞させる。
【００２５】
次に、図３及び図４を用いて、注液ポンプ３００ａ、３００ｂの構成について説明する。図３は、第１の実施形態に係る注液ポンプ３００ａを示す断面図である。ここでは、注液ポンプ３００ａについて主に説明する。排液ポンプ３００ｂについては、注液ポンプ３００ａと同様の構成であるため説明を省略する。
【００２６】
注液ポンプ３００ａは、ローラポンプホイール３０１及びポンプ用モータ３０２により構成される。また、３０３は、腹膜透析装置１００にカセット１０１を装着するためのカセット枠を示す。３０４は、カセット１０１に形成されるローラポンプステータであり、ローラポンプホイール３０１の外形に合わせて形成されている。送液を行う場合、矢印３０６のように、ローラポンプホイール３０１とチューブ３０５とが当接する。ローラポンプホイール３０１は、ローラポンプステータ３０４上に配設されたチューブ３０５に密着した状態で回転してチューブ３０５をしごくように作用し、チューブ３０５内に貯留している透析液を送り出す。ポンプ用モータ３０２は、ローラポンプホイール３０１に回転力を与えるための動力源である。
【００２７】
図４は、第１の実施形態に係る注液ポンプ３００ａ及び排液ポンプ３００ｂを示す断面図である。なお、図４は、図３に示す一点鎖線での断面を矢印３０７ａ、３０７ｂの方向から見た図となる。
【００２８】
図４に示すように、注液ポンプ３００ａ及び排液ポンプ３００ｂは、それぞれローラポンプホイール３０１ａ、３０１ｂを備える。注液処理時にはローラポンプホイール３０１ａとローラポンプステータ３０４ａとが、チューブ３０５ａを挟み込み、ローラポンプホイール３０１ａの回転によりチューブ３０５ａ内の透析液を送液する。排液処理時にはローラポンプホイール３０１ｂとローラポンプステータ３０４ｂとが、ローラポンプステータ３０４ｂ上のチューブ３０５ｂを挟み込み、ローラポンプホイール３０１ｂの回転によりチューブ３０５ｂ内の透析液を送液する。また、注液処理及び排液処理を同時に行う場合には、ローラポンプホイール３０１ａとローラポンプステータ３０４ａとがチューブ３０５ａを挟み込むとともに、ローラポンプホイール３０１ｂとローラポンプステータ３０４ｂとがチューブ３０５ｂを挟み込む。なお、ローラポンプホイール３０１ａ、３０１ｂは、それぞれ回転方向が異なるため、専用のポンプ用モータ３０２ａ、３０２ｂに接続される。
【００２９】
次に、図５乃至図８を参照して、第１の実施形態における注液処理及び排液処理について説明する。図５は、従来の腹膜透析装置における注液処理及び排液処理を説明する図である。図５に示すように、腹膜透析装置５０１と、患者の腹腔５０２とは、１本のチューブ５０７で接続される。腹膜透析装置５０１は、注液処理及び排液処理において透析液の送液を制御する制御部５０３と、透析液の送液を行うポンプ５０４とを備える。注液処理の際、制御部５０３は、未使用の透析液を収容した透析液バッグ５０５からポンプ５０４を利用して、腹腔５０２に透析液の送液を行う。一方、排液処理の際、制御部５０３は、ポンプ５０４を利用して、使用済みの透析液を腹腔５０２から排液回収バッグ５０６へ排液する。
【００３０】
ここで、排液処理を行った後は、腹腔５０２から排液回収バッグ５０６までの間のチューブに使用済みの透析液が残留することとなる。従来の腹膜透析装置５０１では、再び腹膜透析を実施するために、この状態から注液処理が開始される。したがって、腹膜透析装置５０１と、腹腔５０２との間のチューブ５０７が１本のチューブで構成されているため、その間の残留液が再び腹腔５０２へ戻されることとなる。具体的に、図５に示す長さＬ１のチューブ５０７に残留している残留液が腹腔５０２へ戻されることとなる。この残留液の容量は、数十ｍＬ程度となる。この量は、小児に対して行われる腹膜透析では、無視できない量となる。そのため、本実施形態に係る腹膜透析装置１００は、この残留液の容量（デッド・ボリューム）をできるだけ低減させる。
【００３１】
図６は、第１の実施形態に係る腹膜透析装置１００における注液処理及び排液処理を説明する図である。図７Ａ及び図７Ｂは、第１の実施形態に係る腹膜透析装置１００における注液処理を説明する図である。図８Ａ及び図８Ｂは、第１の実施形態に係る腹膜透析装置１００における排液処理を説明する図である。
【００３２】
図６に示すように、腹膜透析装置１００は、注液処理及び排液処理を制御するための制御部６０１と、透析液を送液するための注液ポンプ３００ａ及び排液ポンプ３００ｂと、各クランプ２０５（ａ〜ｇ）を備える。さらに、腹膜透析装置１００は、透析カテーテル２１０に含まれる注液処理用の流路６０５及び排液処理用の流路６０６に接続される。制御部６０１は、注液ポンプ３００ａ、排液ポンプ３００ｂ及び各クランプ（ａ〜ｇ）を制御して、注液処理及び排液処理の流路を設定する。
【００３３】
以下では、注液処理を行う場合の制御部６０１の制御について説明する。図７Ａに示す矢印７０１は、注液処理の際の透析液の流路を示す。制御部６０１は、注液ポンプ３００ａを利用して、透析液バッグ６０３から注液ポンプ３００ａ及び注液処理用の流路６０５を介して腹腔６０２へ透析液の送液を行う。
【００３４】
具体的に、図７Ｂを参照して説明する。矢印７０１は、同様に注液処理の際の流路を示す。ここでは、透析液バッグ２０８から新たな透析液を供給する場合について説明する。制御部６０１は、注液部１０２ａに配置された注液ポンプ３００ａを駆動するとともに、各クランプ２０５（ａ〜ｇ）を制御して透析液の流路を制御する。ここで、制御部６０１は、各クランプを制御して、クランプ２０５ｅ、２０５ｃ、２０５ａの位置を通過するチューブを開口させる。一方、制御部６０１は、各クランプを制御して、クランプ２０５ｂ、２０５ｄ、２０５ｆ、２０５ｇの位置を通過するチューブを閉塞させる。これにより、透析液の流路は、図７Ｂの矢印７０１に沿って、順に、透析液バッグ２０８、気泡センサ２０４ｄ、注液部１０２ａ、流量計２０２ａ、温度センサ２０３ａ、加温チューブ１０３、温度センサ２０３ｂ、気泡センサ２０４ａ、透析カテーテル２１０の注液処理用の流路６０５となる。
【００３５】
以下では、排液処理を行う場合の制御部６０１の制御について説明する。図８Ａに示す矢印８０１は、排液処理の際の透析液の流路を示す。制御部６０１は、排液ポンプ３００ｂを利用して、腹腔６０２から排液処理用の流路６０６及び排液ポンプ３００ｂを介して排液回収バッグ６０４へ使用済みの透析液を排液する。
【００３６】
具体的に、図８Ｂを参照して説明する。矢印８０１は、同様に排液処理の際の流路を示す。ここでは、排液ラインコネクタ２１１に接続された排液回収バッグ６０４に排液を行う場合について説明する。制御部６０１は、排液部１０２ｂに配置された排液ポンプ３００ｂを駆動するとともに、各クランプ２０５（ａ〜ｇ）を制御して透析液の流路を制御する。ここで、制御部６０１は、各クランプを制御して、クランプ２０５ｂ、２０５ｇの位置を通過するチューブを開口させる。一方、制御部６０１は、各クランプを制御して、クランプ２０５ａ、２０５ｃ、２０５ｄ、２０５ｅ、２０５ｆの位置を通過するチューブを閉塞させる。これにより、透析液の流路は、図８Ｂの矢印８０１に沿って、順に、腹腔から透析カテーテル２１０の排液処理用の流路６０６、気泡センサ２０４ｂ、流量計２０２ｂ、排液部１０２ｂ、排液回収バッグ６０４となる。
【００３７】
上述したように、排液処理を行った後は、腹腔６０２から排液回収バッグ６０４までの間のチューブに使用済みの透析液が残留することとなる。しかしながら、本実施形態に係る腹膜透析装置１００は、図６に示すように、腹腔６０２と腹膜透析装置１００との間のチューブが注液処理用の流路６０５と、排液処理用の流路６０６とで構成されている。
【００３８】
具体的に、腹膜透析装置１００には、それぞれ注液処理用の流路６０５と排液処理用の流路６０６とが、注液ポンプ３００ａ、排液ポンプ３００ｂに接続される。一方、腹腔６０２には、注液処理用の流路６０５と排液処理用の流路６０６とがＹ字管を形成するように腹腔の直前で合流し、１本のチューブとして接続される。したがって、排液処理後に再び注液処理を行う場合、図６に示す長さＬ２のチューブに含まれる残留液のみが再び腹腔６０２に戻されることとなる。
【００３９】
このように、本実施形態に係る腹膜透析装置１００は、腹腔６０２に接続される透析カテーテル２１０において、注液処理用の流路と排液処理用の流路とを個別に形成することで、再び腹腔６０２に戻される使用済みの透析液の量を低減させる。この量は、０ｍＬとすることが理想的であるが合流地点からのチューブの内容量を考慮すると２ｍＬ以内となることが望ましい。即ち、長さＬ２の部分に示すように、注液処理用の流路（注液チューブ）と排液処理用の流路（排液チューブ）との合流地点から腹腔までのチューブの内容量が２ｍＬ以下となるように形成されることが望ましい。
【００４０】
以上説明したように、本実施形態に係る腹膜透析装置１００は、注液処理用の流路と排液処理用の流路とを有し、かつ、一方の端部がカセットに接続され、他方の端部が患者の腹腔に接続されるチューブを備える。これにより、本実施形態に係る腹膜透析装置１００は、排液処理の後に注液処理を行う場合、排液処理用の流路に残留する残留液が再び腹腔に戻されることがない。即ち、本腹膜透析装置１００は、再び腹腔に戻されることとなる残留液の容量を低減させることができる。
【００４１】
［第２の実施形態］
次に、図９Ａ及び図９Ｂを参照して、第２の実施形態について説明する。本実施形態に係る腹膜透析装置１００は、注液処理を行う前に、注液処理用の流路６０５に残留する冷えた透析液を排出することを特徴とする。注液処理用の流路６０５に残留する前回の注液処理において送液された透析液の温度は、所定時間が経過すると室温まで低下していることが想定される。このように、温度が低下した透析液を腹腔に注入すると、患者の睡眠を妨げるなど、患者に悪影響を及ぼす。例えば、プライミング動作完了の後に初期排液動作を行わずに注液を行った場合、プライミング動作直後に治療を開始するとは限らないため、冷えた透析液が患者の腹腔に注入され、患者の睡眠を妨げてしまう虞がある。ここで、プライミング動作とは、新たなカセット１０１を腹膜透析装置１００に装着した場合に、最初の注液処理を行う前に透析カテーテル２１０に透析液を満たす動作を示す。
【００４２】
図９Ａ及び図９Ｂは、第２の実施形態に係る腹膜透析装置１００の注液処理を説明する図である。ここでは、第１の実施形態と異なる部分についてのみ説明を記載する。
【００４３】
領域９０１には、プライミング動作後、又は、注液処理を行った場合に残留する残留液を示す。ここで、本実施形態に係る制御部６０１は、注液処理を行う前に、領域９０１の容量と同様の量の透析液を、注液ポンプ３００ａによって送液させる。さらに、制御部６０１は、注液ポンプ３００ａの駆動と同時に排液ポンプ３００ｂによって同様の量の透析液を排液させる。したがって、領域９０１に貯留されている冷えた透析液は、新たな透析液によって排液処理用の流路６０６へ押し出されることとなる。具体的に、本実施形態に係る注液ポンプ３００ａ及び排液ポンプ３００ｂは、送液する透析液の量をポンプ用モータ３０２の回転数で調整する。したがって、制御部６０１は、ポンプ用モータ３０２ａ及びポンプ用モータ３０２ｂを同じ回転数で駆動させる。
【００４４】
ここで、制御部６０１は、注液処理において透析液を送液する速度である送液速度と、排液処理において透析液を送液する速度である排液速度とを同一の速度に維持することが望ましい。具体的に、制御部６０１は、注液ポンプ３００ａ及び排液ポンプ３００ｂによって送液される透析液の速度をポンプ用モータ３０２ａ、３０２ｂの回転速度で調整する。したがって、制御部６０１は、ポンプ用モータ３０２ａ及びポンプ用モータ３０２ｂを同じ回転速度で駆動させる。この送液速度の制御は、例えば、送液速度が排液速度を超えることにより発生する溢れた透析液が腹腔に注入される現象を抑制する。さらに、この制御は、排液速度が送液速度を超えることにより発生するチューブ内に外気が混入してしまう現象を抑制する。
【００４５】
以下では、注液処理前に行われる冷えた透析液を排液する際の流路について図９Ｂを参照して説明する。図９Ｂに示す矢印９０２は、注液処理前に行われる冷えた透析液を排液する際の流路を示す。ここでは、新たに送液する透析液を透析液バッグ２０８から供給することとする。制御部６０１は、冷えた透析液を排液するために、クランプ２０５ｅ、２０５ｃ、２０５ａ、２０５ｂ、２０５ｇではチューブを開口させ、その他のクランプではチューブを閉塞させる。さらに、上述したように、制御部６０１は、注液ポンプ３００ａ及び排液ポンプ３００ｂを同時に駆動する。これにより、新たに送液された透析液によって押し出される注液処理用の流路６０５に貯留する冷えた透析液は、排液処理用の流路６０６に押し出される。
【００４６】
同様に、本実施形態に係る腹膜透析装置１００は、注液処理中に腹膜ラインのキンクなどにより送液が一時的に停止した場合、加温チューブ１０３で必要以上に加温された透析液を排出することができる。腹膜透析装置１００は、流量計２０２ａにより送液が一時的に停止したことを検知すると、加温チューブ１０３に残留している透析液を矢印９０３に示す流路で排出する。具体的に、制御部６０１は、クランプ２０５ｅ、２０５ｃ、２０５ｆではチューブを開口させ、その他のクランプではチューブを閉塞させる。さらに、制御部６０１は、加温チューブ１０３に残留している透析液の容量と同じ量の透析液を注液ポンプ３００ａによって送液する。これにより、加温チューブ１０３に残留している必要以上に加温された透析液は、新たな透析液に押し出されて排液される。
【００４７】
［第３の実施形態］
次に、図１０Ａ乃至図１０Ｃを参照して、第３の実施形態について説明する。本実施形態に係る腹膜透析装置１００は、注液処理を行っている間に、透析液中に混入した気泡を排出することを特徴とする。即ち、本腹膜透析装置１００は、腹腔に気泡が注入されない構成を有する。図１０Ａ乃至図１０Ｃは、第３の実施形態に係る腹膜透析装置１００の注液処理を説明する図である。ここでは、第１及び第２の実施形態と異なる部分についてのみ説明を記載する。
【００４８】
本実施形態に係る制御部６０１は、注液処理中に気泡が検知された場合、気泡を排出するため、注液ポンプ３００ａ及び排液ポンプ３００ｂを同時に駆動させる。また、制御部６０１は、導出手段として機能する導出部１００１を備える。導出部１００１は、気泡センサ２０４（ａ〜ｅ）によって検知された気泡が、注液処理用の流路６０５及び排液処理用の流路６０６が合流する合流地点１００３に到達する到達時刻を導出する。したがって、制御部６０１は、導出された到達時刻から前後に予め定められた時間を有する期間において、排液ポンプ３００ｂを注液ポンプ３００ａと同時に駆動させる。
【００４９】
これにより、腹膜透析装置１００は、透析液中に混入した気泡を矢印１００２のように、注液処理用の流路６０５から排液処理用の流路６０６へ導くことができる。ここで、制御部６０１は、第２の実施形態と同様に、ポンプ用モータ３０２ａ及びポンプ用モータ３０２ｂを同じ回転数で駆動させるとともに、ポンプ用モータ３０２ａ及びポンプ用モータ３０２ｂを同じ回転速度で駆動させることが望ましい。
【００５０】
具体的に、導出部１００１は、例えば、気泡を検知した時刻と、気泡を検知した気泡センサの位置と、透析液の流速とから到達時刻を導出する。ここで、図１０Ｂに示す気泡センサ２０４ａが気泡を検知したと想定する。この場合、導出部１００１は、気泡センサ２０４ａが気泡を検知した時刻と、気泡センサ２０４ａから合流地点１００３までの予め定められた距離と、ポンプ用モータ３０２ａの回転速度とを用いて、合流地点１００３へ気泡が到達する到達時刻を導出する。これにより、制御部６０１は、矢印１００４に示す注液処理中の流路から、気泡を排出するため、間欠的に矢印１００２に示す流路に切り替えることができる。
【００５１】
また、気泡センサ２０４ｄで気泡が検知された場合、制御部６０１は、注液ポンプ３００ａの駆動のみで気泡を排液してもよい。具体的に、導出部１００１は、気泡センサ２０４ｄで気泡が検知されると、気泡センサ２０４ｄが気泡を検知した時刻と、気泡センサ２０４ｄからクランプ２０５ａまでの予め定められた距離と、ポンプ用モータ３０２ａの回転速度とを用いて、クランプ２０５ａへ気泡が到達する到達時刻を導出する。制御部６０１は、導出された到達時刻から前後に予め定められた時間を有する期間において、クランプ２０５ａによりチューブを閉塞させ、クランプ２０５ｆによってチューブを開口させる。これにより、気泡が混入した透析液は、図１０Ｃに示す矢印１００５に示す流路で排出される。
【図面の簡単な説明】
【００５２】
【図１】第１の実施形態に係る腹膜透析装置１００の一例を示す図である。
【図２】第１の実施形態に係る腹膜透析装置１００に装着された状態のカセット１０１を示す図である。
【図３】第１の実施形態に係る注液ポンプ３００ａを示す断面図である。
【図４】第１の実施形態に係る注液ポンプ３００ａ及び排液ポンプ３００ｂを示す断面図である。
【図５】従来の腹膜透析装置における注液処理及び排液処理を説明する図である。
【図６】第１の実施形態に係る腹膜透析装置１００における注液処理及び排液処理を説明する図である。
【図７Ａ】、
【図７Ｂ】第１の実施形態に係る腹膜透析装置１００における注液処理を説明する図である。
【図８Ａ】、
【図８Ｂ】第１の実施形態に係る腹膜透析装置１００における排液処理を説明する図である。
【図９Ａ】、
【図９Ｂ】第２の実施形態に係る腹膜透析装置１００の注液処理を説明する図である。
【図１０Ａ】、
【図１０Ｂ】、
【図１０Ｃ】第３の実施形態に係る腹膜透析装置１００の注液処理を説明する図である。
【符号の説明】
【００５３】
１００：腹膜透析装置
１０１：カセット
１０２ａ：送液部
１０２ｂ：排液部
１０３：加温部
１０４：切替部
１０５：接続チューブ
【図１】
2008229249.tif 000003
【図２】
2008229249.tif 000004
【図３】
2008229249.tif 000005
【図４】
2008229249.tif 000006
【図５】
2008229249.tif 000007
【図６】
2008229249.tif 000008
【図７Ａ】
2008229249.tif 000009
【図７Ｂ】
2008229249.tif 000010
【図８Ａ】
2008229249.tif 000011
【図８Ｂ】
2008229249.tif 000012
【図９Ａ】
2008229249.tif 000013
【図９Ｂ】
2008229249.tif 000014
【図１０Ａ】
2008229249.tif 000015
【図１０Ｂ】
2008229249.tif 000016
【図１０Ｃ】
2008229249.tif 000017